(57)【要約】【課題】様々なユーザが操作し易く、且つ、比較的簡易な構成を有する画像読取装置を提供する。【解決手段】画像読取装置１は、イメージセンサ等を有し原稿に関する画像を読み取る読取部６を本体部２に備える。また、画像読取装置１は、可動式の原稿台３をさらに備える。原稿台３は、原稿を載置する原稿載置部を有するとともに、本体部２および読取部６に対して移動可能である。なお、原稿台３は、読取部６に対して水平方向にスライド移動可能であるとともに本体部２に対する傾斜角度を変更することも可能であることが好ましい。【選択図】図１１
2009232013.tif 000002
【特許請求の範囲】
【請求項１】
画像読取装置であって、
本体部と、
前記本体部に設けられ、原稿に関する画像を読み取る読取部と、
前記原稿を載置する原稿載置部を有し、前記本体部および前記読取部に対して移動可能な可動式の原稿台と、
を備えることを特徴とする画像読取装置。
【請求項２】
請求項１に記載の画像読取装置において、
前記原稿台は、水平方向にスライド移動可能であることを特徴とする画像読取装置。
【請求項３】
請求項２に記載の画像読取装置において、
前記原稿台は、水平方向にスライド移動可能であるとともに前記本体部に対する傾斜角度を変更することも可能であることを特徴とする画像読取装置。
【請求項４】
請求項３に記載の画像読取装置において、
前記原稿台を案内する案内手段、
をさらに備え、
前記案内手段は、前記原稿台を水平方向に案内する水平部と前記原稿台を斜め方向に案内する斜行部とを有することを特徴とする画像読取装置。
【請求項５】
請求項１ないし請求項４のいずれかに記載の画像読取装置において、
前記原稿台に接続されて設けられ、前記原稿台とともに前記読取部に対して移動することが可能な操作パネル、
をさらに備えることを特徴とする画像読取装置。
【請求項６】
請求項１ないし請求項５のいずれかに記載の画像読取装置において、
前記原稿台は、原稿が載置される部分に第１の透明部材を有しており、
前記読取部は、第２の透明部材を有しており、
前記第２の透明部材は、前記原稿台が本体側に収納された状態において前記第１の透明部材に対向する位置に存在することを特徴とする画像読取装置。
【請求項７】
請求項１ないし請求項６のいずれかに記載の画像読取装置において、
前記原稿台が前記本体部側に収納された状態において前記原稿台を覆うように設けられる原稿押さえ部材、
をさらに備え、
前記原稿台は、前記原稿押さえ部材と前記読取部との間に設けられ、前記原稿押さえ部材と前記読取部との双方に対して移動可能であることを特徴とする画像読取装置。
【請求項８】
請求項１ないし請求項７のいずれかに記載の画像読取装置において、
操作者が前記原稿台を手前側に引き出す操作を行う際に用いられる取手部、
をさらに備えることを特徴とする画像読取装置。
【発明の詳細な説明】
【技術分野】
【０００１】
本発明は、ＭＦＰなどの画像読取装置に関する。
【背景技術】
【０００２】
スキャナ部を有する画像読取装置（ＭＦＰ等）の多くにおいては、原稿を読み取るスキャナ部が画像読取装置の上部に設けられている。また、このような画像読取装置は、通常、操作者が床面に立った状態で操作することを前提に配置されている。そのため、起立姿勢の操作者の腰部付近の高さにスキャナ部が配置される。
【０００３】
したがって、小柄な人、あるいは、車椅子に乗った人などにとっては、当該スキャナ部が比較的高い位置に存在し、その眼の位置が原稿載置面に近いこと、或いは、当該原稿載置面よりも下側であることも多い。そのため、原稿載置面に対するアクセスが容易ではなく、操作性が十分とは言えない。
【０００４】
このような問題を解消する技術として、例えば特許文献１に記載の技術が存在する。特許文献１においては、比較的上方の画像読取部が比較的下方の画像形成部に対して水平方向に移動すること、および傾斜することが記載されている。
【０００５】
【特許文献１】特開２００４−８５７６２号公報
【発明の開示】
【発明が解決しようとする課題】
【０００６】
しかしながら、このような技術においては、原稿を読み取る画像読取部全体（画像読取用イメージセンサ等を含む読取部全体）が移動するため、装置が大がかりになる。また特に、このような読取部全体を移動させるための電動式移動機構を更に設ける場合には、コストが非常に高くなる。
【０００７】
そこで、この発明の課題は、様々なユーザが操作し易く、且つ、比較的簡易な構成を有する画像読取装置を提供することにある。
【課題を解決するための手段】
【０００８】
上記課題を解決すべく、請求項１の発明は、画像読取装置であって、本体部と、前記本体部に設けられ、原稿に関する画像を読み取る読取部と、前記原稿を載置する原稿載置部を有し、前記本体部および前記読取部に対して移動可能な可動式の原稿台とを備えることを特徴とする。
【０００９】
請求項２の発明は、請求項１の発明に係る画像読取装置において、前記原稿台は、水平方向にスライド移動可能であることを特徴とする。
【００１０】
請求項３の発明は、請求項２の発明に係る画像読取装置において、前記原稿台は、水平方向にスライド移動可能であるとともに前記本体部に対する傾斜角度を変更することも可能であることを特徴とする。
【００１１】
請求項４の発明は、請求項３の発明に係る画像読取装置において、前記原稿台を案内する案内手段、をさらに備え、前記案内手段は、前記原稿台を水平方向に案内する水平部と前記原稿台を斜め方向に案内する斜行部とを有することを特徴とする。
【００１２】
請求項５の発明は、請求項１ないし請求項４のいずれかの発明に係る画像読取装置において、前記原稿台に接続されて設けられ、前記原稿台とともに前記読取部に対して移動することが可能な操作パネル、をさらに備えることを特徴とする。
【００１３】
請求項６の発明は、請求項１ないし請求項５のいずれかの発明に係る画像読取装置において、前記原稿台は、原稿が載置される部分に第１の透明部材を有しており、前記読取部は、第２の透明部材を有しており、前記第２の透明部材は、前記原稿台が本体側に収納された状態において前記第１の透明部材に対向する位置に存在することを特徴とする。
【００１４】
請求項７の発明は、請求項１ないし請求項６のいずれかの発明に係る画像読取装置において、前記原稿台が前記本体部側に収納された状態において前記原稿台を覆うように設けられる原稿押さえ部材、をさらに備え、前記原稿台は、前記原稿押さえ部材と前記読取部との間に設けられ、前記原稿押さえ部材と前記読取部との双方に対して移動可能であることを特徴とする。
【００１５】
請求項８の発明は、請求項１ないし請求項７のいずれかの発明に係る画像読取装置において、操作者が前記原稿台を手前側に引き出す操作を行う際に用いられる取手部、をさらに備えることを特徴とする。
【発明の効果】
【００１６】
請求項１ないし請求項８に記載の発明によれば、本体部および読取部に対して移動可能な可動式の原稿台が備えられるので、様々なユーザが操作し易い画像読取装置を比較的簡易な構成で実現することが可能である。
【００１７】
特に、請求項３によれば、原稿台は、水平方向にスライド移動可能であるとともに本体部に対する傾斜角度を変更することも可能であるので、操作性をさらに向上させることができる。
【００１８】
また特に、請求項５に記載の発明によれば、操作パネルも原稿台とともに移動するため、操作パネルに対するアクセス性能も向上する。
【００１９】
また特に、請求項７に記載の発明によれば、原稿台を上方に開くことなく、原稿を画像読取装置に載置することが可能である。
【００２０】
また特に、請求項８に記載の発明によれば、操作者が原稿台を引き出し易く、さらに操作性を向上させることができる。
【発明を実施するための最良の形態】
【００２１】
以下、本発明の実施形態を図面に基づいて説明する。
【００２２】
＜１．構成＞
図１〜図５は、この実施形態に係る画像読取装置１を示す図である。図１は画像読取装置１の上面図であり、図２は画像読取装置１の側面図である。図３は、原稿押さえ部材５（後述）を外した状態を仮想的に示す上面図である。また、図４は、図１のＩ−Ｉ断面を示す図であり、図５は、図１のII−II断面を示す図である。なお、各図においては、共通のＸＹＺ直交座標系を参考のために付している。
【００２３】
この画像読取装置１は、いわゆるマルチ・ファンクション・ペリフェラル（Multi Function Peripheral）（ＭＦＰとも略称する）として構成されている。当該画像読取装置１は、画像形成装置とも称される。
【００２４】
図２等に示すように、画像読取装置１は、読取部６と画像形成部７とを備えている。読取部６および画像形成部７は、それぞれ、画像読取装置１の本体部２の内部に設けられている。
【００２５】
画像形成部７は、電子写真方式の画像形成装置として構成されている。画像形成部７は、読取部６よりも下方に設けられている。
【００２６】
読取部６は、１次元ラインセンサ（イメージセンサ）を走査して原稿に関する画像（画像データ）を読み取る画像読取部であり、いわゆる光学式スキャナ装置として構成されている。読取部６は、画像形成部７よりも上方、換言すれば、画像読取装置１の上部に設けられている。また、読取部６の最上部には透明部材６１（図４参照）が設けられており、読取部６は、当該透明部材６１およびその他の部材によって構成された閉空間内に設けられている。
【００２７】
また、図１に示すように、読取部６の最上部には開閉式の原稿押さえ部材５が設けられている。この原稿押さえ部材５は、後端側（＋Ｙ側）に設けられたヒンジ部（不図示）の回転軸（Ｘ軸に平行な軸）を中心に回動可能に設けられている。原稿押さえ部材５は、原稿を原稿台３（各図にて太線で示す）に載置する際には、当該回転軸を中心に回動しその手前側が上方に移動され、原稿台３の直上位置から退避する。このように原稿押さえ部材５が上方の退避位置（不図示）に移動した状態において、操作者は原稿台３に原稿を容易に載置することが可能である。なお、後述するように原稿台３をスライドさせることによって、原稿押さえ部材５を上方に退避させることなく、原稿台３上に原稿を載置することも可能である。
【００２８】
図３に示すように、原稿押さえ部材５の下側には原稿台３が設けられている。この原稿台３は、本体部２および読取部６に対して移動可能な可動式の原稿台である。より詳細には、原稿台３は、水平方向にスライド移動可能である。また、原稿台３は、原稿押さえ部材５に対しても移動可能である。原稿台３の移動機構については後に詳述する。
【００２９】
原稿台３は、枠部材３１と透明部材３２とを有している。透明部材３２は、枠部材３１の中央の中空部において当該枠部材３１に接合されて固定されている。この透明部材３２は、原稿が載置される部分（原稿載置部）に設けられる。すなわち、透明部材３２は原稿載置面として機能する。また、図４にも示すように、枠部材３１の手前側には枠部材３１の他の部分よりも若干高くなっている凸部３３が設けられており、当該凸部３３の上面には略半円柱状の凹部がＸ方向に伸びるように設けられている。この凹部は、操作者が原稿台３を手前に引き出す際に取手として機能するため、取手部３４とも称される。
【００３０】
また、原稿台３の手前右側には操作パネル４が原稿台３に接続（固定接続）されて設けられている（図３参照）。そのため、操作パネル４は、原稿台３の移動に伴って、本体部２および読取部６に対して移動することが可能である。操作パネル４は、各種操作入力等を受け付ける操作入力部として機能するとともに、各種情報を表示する表示部としても機能する。なお、操作パネル４は、原稿台３に対してその設置角度をさらに変更すること（すなわち原稿台３に対して傾斜すること）ができるように構成されてもよい。端的に言えば、操作パネル４は、回動可能な状態で原稿台３に接続されていてもよい。
【００３１】
図４に示すように、原稿台３は、本体部２側に収納された状態（以下、収納状態とも称する）ＳＴ１において、読取部６の上方に配置されている。この収納状態ＳＴ１においては、原稿台３の透明部材３２は、読取部６の透明部材６１に対して平行に、且つ、当該透明部材６１に対向する位置に存在する。換言すれば、透明部材６１は、収納状態ＳＴ１においては透明部材３２に対向する位置に存在する。また、原稿押さえ部材５は、原稿台３の収納状態ＳＴ１において、原稿台３（特に透明部材３２）を覆うように設けられている（図１および図３も参照）。原稿台３は、図４の断面図に示すように、読取部６（より詳細には透明部材６１）と原稿押さえ部材５との間に存在する。
【００３２】
また、読み取り対象の原稿Ｄは、原稿台３の透明部材３２上に載置される。読み取り時時には、読取部６内に設けられた光源から出射された光が透明部材６１，３２を通過して原稿Ｄの下面に到達する。そして、その反射光（原稿Ｄの下面で反射された光）が再び透明部材３２，６１を通過して読取部６内の１次元ラインセンサ（光電変換素子）によって受光されて光電変換作用により電子データ化され、当該１次元ラインセンサに対応する線状部分の画像データが取得される。さらに、光源および１次元ラインセンサが走査されることによって、原稿Ｄ（詳細にはその下面）に関する２次元の画像データが取得される。
【００３３】
また、図３に示すように、原稿台３の左右両側には、原稿台３を案内するガイドレール２８がそれぞれ配置されている。原稿台３の枠部材３１の左右両側部奥側においては、外向きに突出した円柱状の２つの突出部３５（詳細には前側の突出部３５ａおよび後ろ側の突出部３５ｂ）がそれぞれ設けられている。すなわち、原稿台３には合計４個の突出部３５が設けられている。
【００３４】
図６に示すように、これらの突出部３５が、断面視「コ」の字状のガイドレール２８の溝部に案内されることによって原稿台３のスライド動作が実現される。また、図６に示されるように、ガイドレール２８の溝部の上部側および下部側にはそれぞれ複数のボールベアリング２９が（Ｙ方向に）直線状に埋設されており、原稿台３の移動時には、これらのボールベアリング２９が突出部３５と接触する。これにより、原稿台３はガイドレール２８によって更に円滑に案内される。なお、左右の突出部３５の外側端面Ｆ１とガイドレール２８の溝部の内側側面Ｆ２との間にボールベアリングを更に設けるようにしてもよい。
【００３５】
また、原稿台３は、読取部６に対して水平方向にスライド移動可能であるとともに本体部２に対する傾斜角度を変更することも可能である。具体的には、原稿台３は、読取部６に対して水平移動した後に、本体部２に対する傾斜角度を０（ゼロ）度から角度θ（例えば約３０度）に変更し、（原稿台３の手前側が下方に位置するように）水平面に対して傾斜することが可能である（図８〜図１１参照）。
【００３６】
そのため、このガイドレール２８は、図５の断面図にも示すように、水平面に平行に伸びる水平部２８ａと、水平面に対して斜行する斜行部２８ｂとを有している。斜行部２８ｂは、その手前側（−Ｙ側）が比較的下方に位置するように傾斜している。原稿台３が操作者の操作力によって手前に引き出されると、突出部３５が左右の各ガイドレール２８（図３参照）の水平部２８ａに沿って水平方向に案内され、原稿台３が水平状態を維持したまま手前に移動する。その後、突出部３５がガイドレール２８の斜行部２８ｂに沿って斜め方向に案内されると、今度は、原稿台３が水平面に対して傾いた状態で移動する。より具体的には、原稿台３は、その前端部側（−Ｙ側）を徐々に下側に移動させつつ、手前側（−Ｙ側）に移動する。これによって、原稿台３は、図７に示す位置にまで前方（−Ｙ側）に向けて引き出され、本体部２から突出するように手前に引き出された状態（引出状態ＳＴ２とも称する）になる。なお、この実施形態においては、引出状態ＳＴ２において、原稿台３は、その前端部側がその後端部側よりも下側に位置するように、水平面に対して傾斜している。
【００３７】
＜２．動作＞
図８〜図１０は、原稿台３の移動動作を示す図である。なお、図５および図８〜図１０等においては、便宜上、画像読取装置１の下部側（画像形成部７等）および操作パネル４の図示を省略するとともに、原稿台３等を簡略化して示している。
【００３８】
まず、収納状態ＳＴ１（図３，図５等参照）から引出状態ＳＴ２（図７，図１０等参照）への状態遷移について説明する。この状態遷移においては、原稿台３が、本体部２と原稿押さえ部材５と読取部６とに対して移動する。
【００３９】
図５の収納状態ＳＴ１において、操作者が取手部３４に指先を差し入れて原稿台３を手前に引き出す力（−Ｙ向きの力）を原稿台３に加えると、図８に示すように、原稿台３がガイドレール２８の水平部２８ａに案内されつつ手前側（−Ｙ側）（図８の左側）に向けて水平方向に移動する。この状態においては、前側（−Ｙ側）の突出部３５ａと後ろ側（＋Ｙ側）の突出部３５ｂとの双方が水平部２８ａに案内されて移動する。なお、画像読取装置１には取手部３４が設けられているため、原稿台３を容易に引き出すことが可能であり、操作性がさらに向上する。
【００４０】
そして、前側の突出部３５ａが斜行部２８ｂに到達すると、今度は、図９に示すように、原稿台３の原稿載置面が斜めに傾き始める。
【００４１】
その後、原稿台３は水平面に対して斜行した状態で更に前側（−Ｙ側）に進行し、前側の突出部３５ａがガイドレール２８の前端部に到達すると、図１０に示すように、原稿台３の移動が規制されて原稿台３が停止する。この引出状態ＳＴ２においては、原稿台３は、前側の突出部３５ａがガイドレール２８のＵ字状の前端部に接触して支持されるとともに、後ろ側の突出部３５ｂもガイドレール２８の斜行部２８ｂによって支持される。突出部３５ｂは、より詳細には、斜行部２８ｂにおける上部レールまたは下部レールによってそれぞれ支持される。このように、原稿台３の左右両側に配置された合計２つのガイドレール２８と合計４つの突出部３５とによって、原稿台３は、水平面に対して角度θ（例えば約３０度）傾斜し、且つ、本体部２から突出した状態（図７および図１０参照）で保持される。
【００４２】
以上のようにして、原稿台３は、収納状態ＳＴ１から引出状態ＳＴ２へと遷移する。
【００４３】
図１１は、引出状態ＳＴ２において、操作者が画像読取装置１にアクセスする状況を示す図である。
【００４４】
引出状態ＳＴ２においては、原稿台３が本体部２から手前に引き出されるとともに水平面に対して傾斜するため、比較的低い位置からも原稿台３に対してアクセスし易くなる。そのため、図１１に示すように、例えば車椅子に乗っている操作者も、原稿台３上の適宜の位置に原稿を容易に載置することが可能である。特に、原稿台３が水平面に対して傾斜しているため、操作者は原稿台３上の位置を確認し易い。
【００４５】
また、操作パネル４も原稿台３とともに移動するため、操作パネル４に対するアクセス性能も向上する。具体的には、引出状態ＳＴ２において、操作者は操作パネル４を用いて各種の設定操作を行うことが可能である。この引出状態ＳＴ２においては、操作パネル４が本体部２から手前に引き出され、且つ、適宜の角度（ここでは水平面に対して角度θ（例えば約３０度））に傾斜した状態であるため、操作パネル４に対する操作性が高い。
【００４６】
操作者によって原稿台に原稿が載置されると、今度は、上記とは逆の動作によって、原稿台３は引出状態ＳＴ２から収納状態ＳＴ１へと移動する。次に、この状態遷移について説明する。
【００４７】
具体的には、操作者が取手部３４等を用いて原稿台３を把持し、原稿台３を奥側に押し込む操作を行う。操作者による当該操作力に応じて、原稿台３は、ガイドレール２８の斜行部２８ｂおよび水平部２８ａに案内されて奥側に移動するとともに、その傾斜角度が０（ゼロ）度に近づくように変更される（図１０→図９→図８）。そして、原稿台３は、図７に示すように、後ろ側の突出部３５ｂがガイドレール２８のＵ字状の後端部に到達すると、原稿台３の移動が規制されて原稿台３が停止し、元の収納状態ＳＴ１に復帰する。
【００４８】
また、原稿台３は、収納状態ＳＴ１への復帰時においても原稿押さえ部材５と読取部６との双方に対して移動する。詳細には、原稿台３は、原稿押さえ部材５と読取部６との空隙を利用して移動する。これにより、原稿Ｄが透明部材３２上に載置されたまま引出状態ＳＴ２から収納状態ＳＴ１へ移行する。したがって、原稿Ｄを画像読取装置１に載置する際に、原稿台３を上方に押し上げて開くことを要しない。
【００４９】
また、特に、図４に示すように、透明部材３２と原稿押さえ部材５との間には、原稿Ｄを載置するための空隙が設けられている。したがって、原稿台３の収納状態ＳＴ１への復帰時において、原稿Ｄが原稿押さえ部材５に接触することを回避できる。また、図４に示すように、枠部材３１と原稿押さえ部材５との間にも空隙が設けられている。したがって、原稿台３が収納状態ＳＴ１へ復帰する際に、枠部材３１が原稿押さえ部材５に接触することを回避できる。同様に、透明部材３２と透明部材６１との間にも空隙が設けられており、且つ、枠部材３１とその直下の本体部２の部分（および透明部材６１）との間にも空隙が設けられている。したがって、原稿台３の移動時において、透明部材３２および枠部材３１が、透明部材６１および本体部に接触することを回避できる。
【００５０】
その後、操作パネル４（図７，図１１参照）内のボタンを押下することによって、読取部６を用いたスキャン動作が実行される。これにより、原稿Ｄに関するスキャン画像が生成される。なお、原稿台３が手前側に引き出された状態ＳＴ２において操作者が予めボタンの位置を確認しておけば、収納状態ＳＴ１への復帰後のボタン操作が比較的容易になる。
【００５１】
以上のように、原稿台３の引出状態ＳＴ２においては、原稿台３が本体部２から手前に引き出されるとともに水平面に対して傾斜するため、比較的低い位置からも原稿台３に対してアクセスし易くなる（図１１参照）。そのため、例えば車椅子に乗っている操作者も、原稿台３上の適宜の位置に原稿を容易に載置することが可能である。すなわち、様々なユーザにとって操作し易い画像読取装置が実現される。
【００５２】
また、原稿台３が読取部６に対して移動することによって原稿台３の引出状態ＳＴ２が実現されている。ここにおいて、原稿台３を引き出す力は、読取部６全体を移動させる力に比べて小さな力で済む。したがって、上記の動作によれば、例えば取部６全体を移動させる場合に比べて、原稿を載置し易い状態を比較的小さな力で実現することができる。
【００５３】
また、このような画像読取装置１は、読取部６全体を移動させる画像読取装置に比べて、比較的簡易な構成で実現することが可能である。具体的には、上述の従来技術に比べて、装置構成を簡略化することができる。また特に、上述のような電動式移動機構を更に設けて読取部全体（イメージセンサ等を含む読取部体）を移動させる場合に比べて、装置構成を簡略化することができるとともに、コストを抑制することが可能である。
【００５４】
＜３．その他＞
以上、この発明の実施の形態について説明したが、この発明は上記説明した内容のものに限定されるものではない。
【００５５】
たとえば、上記実施形態においては、ガイドレール２８の前側（−Ｙ側）に傾斜部を設けて、原稿台３を傾斜させる場合を例示したが、これに限定されず、ガイドレール２８に水平部２８ａのみを設けることなどによって、原稿台３を水平方向にのみ移動させるようにしてもよい。
【００５６】
図１２および図１３は、このような変形例に係る装置を示す図である。図１２においては、図５と同様の断面図が示されている。図１２に示される装置においては、ガイドレール２８の前端側においても、（斜行部２８ｂではなく）水平部２８ａが設けられている。そして、原稿台３は、水平状態を維持したまま引き出され、原稿台３が本体部２に対して最も引き出された引出状態ＳＴ２においても、原稿台３が水平状態を維持している。
【００５７】
このような変形例に係る装置によっても、ユーザの操作性を向上することができる。例えば、図１３に示すように、原稿台３を引き出すことによれば、車椅子に乗っている操作者の足が、原稿台３の下側に潜り込むことが可能になる。そのため、例えば、画像読取装置の下側の台座部分が邪魔になり、比較的遠くから原稿載置面に原稿を載置する操作を余儀なくされていた状況が改善され、原稿を載置する操作を原稿載置面の比較的近くから行うことが可能である。図１３に示すように、特に、原稿載置面が比較的低い場合には、原稿台３が水平方向に引き出されるだけでも、このように操作性が大きく向上する。一方、原稿載置面が比較的高い場合には、上記実施形態のように、原稿台３を水平方向にスライド移動させるだけでなく原稿台３の本体部２に対する傾斜角度をも変更することが好ましい。これによれば、操作性を一層向上させることができる。
【００５８】
また、上記実施形態においては、ボールベアリング２９をガイドレール２８に埋設する場合（図６参照）を例示したが、これに限定されず、ボールベアリング２９を突出部３５に埋設するようにしてもよい。
【００５９】
また、上記実施形態においては、画像読取装置としてＭＦＰを例示したが、これに限定されず、例えばスキャナ機能のみを有する画像読取装置に上記の思想を適用するようにしてもよい。特に、そのような画像読取装置を机上等の適宜の高さに配置する場合に、上記と同様の利点を得ることが可能である。
【図面の簡単な説明】
【００６０】
【図１】画像読取装置の上面図である。
【図２】画像読取装置の側面図である。
【図３】原稿押さえ部材を外した状態を示す上面図である。
【図４】図１のＩ−Ｉ断面を示す図である。
【図５】図１のII−II断面を示す図である。
【図６】原稿台の突出部がガイドレールに案内される様子を示す断面図である。
【図７】原稿台が引き出された状態（引出状態）を示す上面図である。
【図８】原稿台の移動動作を示す図である。
【図９】原稿台の移動動作を示す図である。
【図１０】原稿台の移動動作を示す図である。
【図１１】操作者が装置にアクセスする状態を示す図である。
【図１２】変形例に係る画像読取装置を示す断面図である。
【図１３】変形例に係る画像読取装置に対して操作者がアクセスする状態を示す図である。
【符号の説明】
【００６１】
１  画像読取装置
２  本体部
３  原稿台
４  操作パネル
５  原稿押さえ部材
６  読取部
７  画像形成部
２８  ガイドレール
２８ａ  水平部
２８ｂ  斜行部
３１  枠部材
３２，６１  透明部材
３４  取手部
３５，３５ａ，３５ｂ  突出部
Ｄ  原稿
【図１】
2009232013.tif 000003
【図２】
2009232013.tif 000004
【図３】
2009232013.tif 000005
【図４】
2009232013.tif 000006
【図５】
2009232013.tif 000007
【図６】
2009232013.tif 000008
【図７】
2009232013.tif 000009
【図８】
2009232013.tif 000010
【図９】
2009232013.tif 000011
【図１０】
2009232013.tif 000012
【図１１】
2009232013.tif 000013
【図１２】
2009232013.tif 000014
【図１３】
2009232013.tif 000015